(57)【特許請求の範囲】
【請求項１】
第１タイミングにおいて第１画像を表示し、第２タイミングにおいて第２画像を表示する表示パネルと、
前記表示パネルに裏面から光を照射する複数の第１光源および複数の第２光源を有する光源パネルと、
前記表示パネルおよび前記光源パネルの間に設けられ、前記複数の第１光源からの光を第１視点方向に屈折させて第１視点に与え、前記複数の第２光源からの光を第２視点方向に屈折させて前記第２視点に与えるレンチキュラレンズと、
前記第１タイミングにおいて前記複数の第１光源を点灯させ、前記複数の第２光源を消灯させ、前記第２タイミングにおいて前記複数の第２光源を点灯させ、前記複数の第１光源を消灯させる光源制御部と、
を備え、
前記表示パネルは、入射光の第１偏光成分を透過する複数の第１表示領域と入射光の第２偏光成分を透過する複数の第２表示領域とが交互に配列され、
前記複数の第１光源および前記複数の第２光源は、前記表示パネルに裏面から前記第１偏光成分の光を照射し、
前記光源パネルは、前記表示パネルに裏面から前記第２偏光成分の光を照射する複数の第３光源および複数の第４光源を更に有し、
前記レンチキュラレンズは、更に、前記複数の第３光源からの光を第３視点方向に屈折させて第３視点に与え、前記複数の第４光源からの光を第４視点方向に屈折させて前記第４視点に与え、
前記光源制御部は、更に、前記第１タイミングにおいて前記複数の第３光源を点灯させ、前記複数の第４光源を消灯させ、前記第２タイミングにおいて前記複数の第４光源を点灯させ、前記複数の第３光源を消灯させる表示装置。
【請求項２】
前記レンチキュラレンズは、前記表示パネルの垂直方向にそれぞれ延伸する複数のレンズを有し、
前記複数のレンズは前記表示パネルの水平方向に並べて配列される
請求項１に記載の表示装置。
【請求項３】
前記光源パネルにおける前記複数の第１光源および前記複数の第３光源は、水平方向に交互に配列され、
前記光源パネルにおける前記複数の第２光源および前記複数の第４光源は、水平方向に交互に配列される
請求項１または２に記載の表示装置。
【請求項４】
前記複数の第１表示領域および前記複数の第２表示領域のそれぞれは、前記表示パネルの水平方向に延伸し、前記表示パネルの垂直方向に交互に配列される請求項１から３の何れか１項に記載の表示装置。
【請求項５】
当該表示装置は、
第１の観視者の右眼に対応する前記第１視点に対して前記複数の第１表示領域に表示した右眼用の前記第１画像を与え、
前記第１の観視者の左眼に対応する前記第３視点に対して前記複数の第２表示領域に表示した左眼用の前記第１画像を与え、
第２の観視者の右眼に対応する前記第２視点に対して前記複数の第１表示領域に表示した右眼用の前記第２画像を与え、
前記第２の観視者の左眼に対応する前記第４視点に対して前記複数の第２表示領域に表示した左眼用の前記第２画像を与える
請求項１から４のいずれか１項に記載の表示装置。
【請求項６】
前記第１の観視者および前記第２の観視者の位置を検出する検出部と、
検出された前記第１の観視者および第２の観視者の位置に応じて、前記複数の第１光源、前記複数の第２光源、前記複数の第３光源および前記複数の第４光源のそれぞれを前記表示パネルの水平方向に移動させて、前記表示パネルに対する前記第１視点、前記第２視点、前記第３視点および前記第４視点の向きを変更する変更部と、
を更に備える請求項５に記載の表示装置。
【請求項７】
前記光源パネルは、前記変更部の制御を受けて、前記複数の第１光源および前記複数の第３光源における隣接する第１光源および第３光源の間の境界位置、および、前記複数の第２光源および前記複数の第４光源における隣接する第２光源および第４光源の間の境界位置を変更することにより、前記第１偏光成分の光および前記第２偏光成分の光の照射方向を変更する請求項６に記載の表示装置。
【請求項８】
第１タイミングにおいて第１画像を表示し、第２タイミングにおいて第２画像を表示する表示パネルと、
前記表示パネルに裏面から光を照射する複数の第１光源および複数の第２光源を有する光源パネルと、
前記表示パネルおよび前記光源パネルの間に設けられ、前記複数の第１光源からの光を第１視点方向に屈折させて第１視点に与え、前記複数の第２光源からの光を第２視点方向に屈折させて前記第２視点に与えるレンチキュラレンズと、
を備え、
前記表示パネルは、入射光の第１偏光成分を透過する複数の第１表示領域と入射光の第２偏光成分を透過する複数の第２表示領域とが交互に配列され、
前記光源パネルは、前記表示パネルに裏面から前記第２偏光成分の光を照射する複数の第３光源および複数の第４光源を更に有する表示装置における、表示方法であって、
前記第１タイミングにおいて前記複数の第１光源を点灯させ、前記複数の第２光源を消灯させ、前記第２タイミングにおいて前記複数の第２光源を点灯させ、前記複数の第１光源を消灯させ、
前記複数の第１光源および前記複数の第２光源は、前記表示パネルに裏面から前記第１偏光成分の光を照射し、
前記レンチキュラレンズは、更に、前記複数の第３光源からの光を第３視点方向に屈折させて第３視点に与え、前記複数の第４光源からの光を第４視点方向に屈折させて前記第４視点に与え、
更に、前記第１タイミングにおいて前記複数の第３光源を点灯させ、前記複数の第４光源を消灯させ、前記第２タイミングにおいて前記複数の第４光源を点灯させ、前記複数の第３光源を消灯させる
表示方法。
【発明の詳細な説明】
【技術分野】
【０００１】
本発明は、観察者に立体像を表示するための表示装置および表示方法に関する。
【背景技術】
【０００２】
専用メガネを用いずに立体画像を提供する裸眼用の立体表示装置として、透過型表示モニタを用いた装置が知られている。この立体表示装置は、透過型表示モニタと、透過型表示モニタの裏面側から光を照射する右眼用点光源および左眼用点光源と、透過型表示モニタと略同一の大きさのレンズとを備える。
【０００３】
レンズは、透過型表示モニタと点光源との間に設けられる。そして、レンズは、右眼用の点光源からの光を観視者の右眼上に結像し、左眼用の点光源からの光を観視者の左眼上に結像する。これにより、立体表示装置は、右眼用画像を観視者の右眼のみに与え、左眼用画像を観視者の左眼のみに与えて、専用メガネを用いない裸眼の観視者に対して立体像を提供することができる。
【発明の概要】
【発明が解決しようとする課題】
【０００４】
ところで、このような立体表示装置は、複数の観視者が複数の方向から同時に立体画像を観賞することはできなかった。
【課題を解決するための手段】
【０００５】
上記課題を解決するために、本発明の第１の態様においては、第１タイミングにおいて第１画像を表示し、第２タイミングにおいて第２画像を表示する表示パネルと、前記表示パネルに裏面から光を照射する複数の第１光源および複数の第２光源を有する光源パネルと、前記表示パネルおよび前記光源パネルの間に設けられ、前記複数の第１光源からの光を第１視点方向に屈折させて第１視点に与え、前記複数の第２光源からの光を第２視点方向に屈折させて前記第２視点に与えるレンチキュラレンズと、前記第１タイミングにおいて前記複数の第１光源を点灯させ、前記複数の第２光源を消灯させ、前記第２タイミングにおいて前記複数の第２光源を点灯させ、前記複数の第１光源を消灯させる光源制御部と、を備える表示装置、および、このような表示装置を用いた表示方法を提供する。
【０００６】
なお、上記の発明の概要は、本発明の必要な特徴の全てを列挙したものではなく、これらの特徴群のサブコンビネーションもまた、発.明となりうる。
【図面の簡単な説明】
【０００７】
【図１】本実施形態に係る表示装置１０の構成を示す。
【図２】本実施形態に係る表示装置１０に備えられる、表示パネル１２、光源パネル１４およびレンチキュラレンズ１６のそれぞれの構成を示す。
【図３】本実施形態に係る表示装置１０から観視者に与えられる光の一例を示す。
【図４】本実施形態の第１変形例に係る表示装置１０の構成を示す。
【図５】本実施形態の第２変形例に係る表示装置１０の構成を示す。
【発明を実施するための形態】
【０００８】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【０００９】
図１は、本実施形態に係る表示装置１０の構成を示す。図２は、本実施形態に係る表示装置１０に備えられる、表示パネル１２、光源パネル１４およびレンチキュラレンズ１６のそれぞれの構成を示す。
【００１０】
表示装置１０は、立体表示用の右眼用画像および左眼用画像を含む画像データを受信装置または再生装置等から受け取る。表示装置１０は、右眼用画像を表示して観視者の右眼のみに与え、左眼用画像を表示して観視者の左眼のみに与えることができる。このような表示装置１０は、画像分離用の専用メガネを装着しない観視者、即ち、裸眼の観視者に対して、立体像を観察させることができる。
【００１１】
表示装置１０は、表示パネル１２と、光源パネル１４と、レンチキュラレンズ１６とを備える。表示パネル１２は、右眼用画像および左眼用画像を表示する。表示パネル１２は、裏面側から照射された光を透過することにより、表示した画像を観視者に与える透過型パネルである。
【００１２】
表示パネル１２は、入射光の第１偏光成分を透過する複数の第１表示領域２２と、入射光の第２偏光成分を透過する複数の第２表示領域２４とが交互に配列される。表示パネル１２は、一例として、第１表示領域２２に右眼用画像を表示し、第２表示領域２４に左眼用画像を表示する。第１偏光成分の光および第２偏光成分の光は、偏光方向が互いに直交する直線偏光（Ｓ偏光およびＰ偏光）であってもよいし、回転方向が互いに逆の円偏光であってもよい。
【００１３】
複数の第１表示領域２２および複数の第２表示領域２４のそれぞれは、一例として、表示パネル１２の水平方向（左右方向）に延伸し、表示パネル１２の垂直方向（上下方向）に交互に配列される。表示パネル１２は、一例として、第１偏光成分の光を透過する水平ラインと、第２偏光成分の光を透過する水平ラインとを交互に含む構成であってよい。
【００１４】
光源パネル１４は、表示パネル１２の裏面に光を照射する。表示パネル１２の裏面に照射された光は、表示パネル１２を透過して観視者に与えられる。これにより、観視者は、表示パネル１２に表示された画像を観賞することができる。
【００１５】
光源パネル１４は、表示パネル１２に裏面から第１偏光成分の光を照射する複数の第１光源３２と、表示パネル１２に裏面から第２偏光成分の光を照射する複数の第２光源３４とが、水平方向に交互に配列される。複数の第１光源３２および複数の第２光源３４のそれぞれは、一例として、表示パネル１２の上端から下端まで表示パネル１２の垂直方向に延伸する。このような複数の第１光源３２および複数の第２光源３４のそれぞれは、表示パネル１２の上下方向に均一な光を照射することができる。
【００１６】
レンチキュラレンズ１６は、表示パネル１２および光源パネル１４の間に設けられる。レンチキュラレンズ１６は、複数の第１光源３２からの光を第１視点方向に屈折させて、複数の第１表示領域２２を透過した光を観視者の右眼に対応する第１視点に与える。さらに、レンチキュラレンズ１６は、複数の第２光源３４からの光を第２視点方向に屈折させて、複数の第２表示領域２４を透過した光を観視者の左眼に対応する第２視点に与える。
【００１７】
レンチキュラレンズ１６は、一例として、表示パネル１２の上端から下端まで表示パネル１２の垂直方向にそれぞれ延伸する複数のレンズ４２を有する。複数のレンズ４２は、表示パネル１２の右端から左端まで、表示パネル１２の水平方向に並べて配列される。
【００１８】
図３は、本実施形態に係る表示装置１０から観視者に与えられる光の一例を示す。表示装置１０において、複数の第１光源３２のそれぞれから出力された第１偏光成分の光は、レンチキュラレンズ１６により観視者の右眼に対応する第１視点の方向に屈折される。そして、レンチキュラレンズ１６により屈折された第１偏光成分の光は、表示パネル１２の複数の第１表示領域２２を通過して、観視者の右眼に与えられる。
【００１９】
また、表示装置１０において、複数の第２光源３４のそれぞれから出力された第２偏光成分の光は、レンチキュラレンズ１６により観視者の左眼に対応する第２視点の方向に屈折される。そして、レンチキュラレンズ１６により屈折された第２偏光成分の光は、表示パネル１２の複数の第２表示領域２４を通過して、観視者の左眼に与えられる。
【００２０】
ここで、表示パネル１２は、複数の第１表示領域２２に右眼用画像を表示する。また、表示パネル１２は、複数の第２表示領域２４に左眼用画像を表示する。従って、当該表示装置１０は、観視者の右眼に対応する第１視点に対して複数の第１表示領域２２に表示した右眼用画像を与え、観視者の左眼に対応する第２視点に対して複数の第２表示領域２４に表示した左眼用画像を与えることができる。
【００２１】
これにより、表示装置１０によれば、専用メガネを用いない裸眼の観視者に対して立体像を観察させることができる。そして、表示装置１０によれば、大型の単一のレンズではなくレンチキュラレンズ１６を用いるので、表示面を大型とすることができ、更に、薄くすることができる。
【００２２】
図４は、第１変形例に係る表示装置１０の構成を示す。なお、本変形例に係る表示装置１０は、図１から図３において説明した表示装置１０と略同一の構成および機能を採るので、図１から図３で説明した部材と略同一の構成および機能の部材に同一の符号を付け、以下相違点を除き説明を省略する。
【００２３】
第１表示装置１０は、検出部５２と、変更部５４とを更に備える。本変形例において、光源パネル１４の複数の第１光源３２および複数の第２光源３４は、表示パネル１２に対して水平方向に移動可能に設けられる。この場合において、複数の第１光源３２および複数の第２光源３４は、レンチキュラレンズ１６と一体的に移動可能であってもよい。
【００２４】
検出部５２は、観視者の位置を検出する。検出部５２は、一例として、カメラにより撮影された観視者の顔および頭等を認識して、観視者の右眼および左眼の表示パネル１２に対する位置を検出する。
【００２５】
変更部５４は、検出された観視者の位置に応じて、複数の第１光源３２および複数の第２光源３４を表示パネル１２の水平方向に移動させて、表示パネル１２に対する第１視点および第２視点の向きを変更する。変更部５４は、一例として、観視者の位置と光源パネル１４の移動位置との対応関係を予めテーブル等に記憶しておき、検出された観視者の位置およびテーブルの内容に基づき、複数の第１光源３２および複数の第２光源３４の位置を移動させる。また、変更部５４は、複数の第１光源３２および複数の第２光源３４を一括して移動させてもよいし、それぞれを個別に移動させてもよい。
【００２６】
このような表示装置１０によれば、観視者に表示面に対して自由な位置から立体像を観察させることができる。また、このような表示装置１０によれば、観視者が立体像の観察中に移動することもできる。
【００２７】
また、複数の第１光源３２および複数の第２光源３４のそれぞれは、表示パネル１２の裏面の全面に対応して密に配置されており、それぞれが独立に点灯および消灯が制御される構成であってもよい。この場合、変更部５４は、複数の第１光源３２および複数の第２光源３４のそれぞれの点灯および消灯を個別に制御する。
【００２８】
変更部５４は、検出された観視者の位置に応じて制御して、第１偏光成分の光を発光する領域および第２偏光成分の光を発光する領域を変更させる。そして、光源パネル１４は、変更部５４の制御を受けて、複数の第１光源３２および複数の第２光源３４における隣接する第１光源３２および第２光源３４の間の境界位置を変更することにより、第１偏光成分の光および第２偏光成分の光の照射方向を変更する。このような変形例に係る表示装置１０によれば、観視者に自由な位置から立体像を観察させることができる。
【００２９】
図５は、第２変形例に係る表示装置１０の構成を示す。なお、本変形例に係る表示装置１０は、図１から図４において説明した表示装置１０と略同一の構成および機能を採るので、図１から図４で説明した部材と略同一の構成および機能の部材に同一の符号を付け、以下相違点を除き説明を省略する。
【００３０】
本変形例に係る表示装置１０は、複数の視点のそれぞれから観察する、画像分離用の専用メガネを装着しない複数の観察者に対して、それぞれの視点に対応する異なる立体像を提供する。
【００３１】
本例においては、表示装置１０は、第１の観察者および第２の観察者に、それぞれの視点に対応する立体像を提供する。即ち、表示装置１０は、第１の観視者の右眼に対応する第１視点に対して右眼用の第１画像を与え、第１の観視者の左眼に対応する第３視点に対して左眼用の第１画像を与える。また、表示装置１０は、第２の観視者の右眼に対応する第２視点に対して右眼用の第２画像を与え、第２の観視者の左眼に対応する第４視点に対して左眼用の第２画像を与える。
【００３２】
なお、右眼用の第１画像は、第１の観視者の右眼に対応する位置から一の被写体を見た場合に観察される画像である。また、左眼用の第１画像は、第１の観視者の左眼に対応する位置から一の被写体を見た場合に観察される画像である。また、右眼用の第２画像は、第２の観視者の右眼に対応する位置から一の被写体を見た場合に観察される画像である。また、左眼用の第２画像は、第２の観視者の左眼に対応する位置から一の被写体を見た場合に観察される画像である。これらの画像は、カメラにより実際に撮影された画像であってもよいし、コンピュータ処理等により生成された画像であってもよい。
【００３３】
表示装置１０は、表示パネル１２と、光源パネル１４と、レンチキュラレンズ１６と、光源制御部７４とを備える。
【００３４】
表示パネル１２は、第１画像と第２画像とを交互に表示する。より詳しくは、表示パネル１２は、第１タイミングにおいて、第１偏光成分を透過する複数の第１表示領域２２に右眼用の第１画像を表示し、第２偏光成分を透過する複数の第２表示領域２４に左眼用の第１画像を表示する。また、表示パネル１２は、第２タイミングにおいて、複数の第１表示領域２２に右眼用の第２画像を表示し、複数の第２表示領域２４に左眼用の第２画像を表示する。
【００３５】
光源パネル１４は、表示パネル１２に裏面から第１偏光成分の光を照射する複数の第１光源３２および複数の第３光源６２を有する。複数の第１光源３２および複数の第３光源６２は、一例として、表示パネル１２の水平方向に交互に配列される。
【００３６】
さらに、光源パネル１４は、表示パネル１２に裏面から第２偏光成分の光を照射する複数の第２光源３４および複数の第４光源６４を有する。複数の第２光源３４および複数の第４光源６４は、一例として、表示パネル１２の水平方向に交互に配列される。
【００３７】
複数の第１光源３２、複数の第２光源３４、複数の第３光源６２および複数の第４光源６４のそれぞれは、一例として、表示パネル１２の上端から下端まで表示パネル１２の垂直方向に延伸し、表示パネル１２の右端から左端までの間に配列される。これにより、複数の第１光源３２、複数の第２光源３４、複数の第３光源６２および複数の第４光源６４のそれぞれは、表示パネル１２の上下方向に均一な光を照射することができる。
【００３８】
レンチキュラレンズ１６は、複数の第１光源３２からの光を第１視点方向に屈折させて、複数の第１表示領域２２を透過した光を第１の観視者の右眼に対応する第１視点に与える。また、レンチキュラレンズ１６は、複数の第２光源３４からの光を第２視点方向に屈折させて、複数の第１表示領域２２を透過した光を第２の観視者の右眼に対応する第２視点に与える。
【００３９】
レンチキュラレンズ１６は、複数の第３光源６２からの光を第３視点方向に屈折させて、複数の第２表示領域２４を透過した光を第１の観視者の左眼に対応する第３視点に与える。また、レンチキュラレンズ１６は、複数の第４光源６４からの光を第４視点方向に屈折させて、複数の第２表示領域２４を透過した光を第２の観視者の左眼に対応する第４視点に与える。
【００４０】
光源制御部７４は、複数の第１光源３２、複数の第２光源３４、複数の第３光源６２および複数の第４光源６４のそれぞれの発光および消灯を制御する。より具体的には、光源制御部７４は、第１タイミングにおいて、複数の第１光源３２を点灯させ、複数の第２光源３４を消灯させる。さらに、光源制御部７４は、第１タイミングにおいて、複数の第３光源６２を点灯させ、複数の第４光源６４を消灯させる。
【００４１】
また、光源制御部７４は、第２タイミングにおいて、複数の第２光源３４を点灯させ、複数の第１光源３２を消灯させる。さらに、光源制御部７４は、第２タイミングにおいて、複数の第４光源６４を点灯させ、複数の第３光源６２を消灯させる。
【００４２】
このような表示装置１０において、複数の第１光源３２のそれぞれから出力された第１偏光成分の光は、レンチキュラレンズ１６により第１の観視者の右眼に対応する第１視点の方向に屈折される。そして、この第１偏光成分の光は、表示パネル１２の複数の第１表示領域２２を通過して、第１の観視者の右眼に与えられる。
【００４３】
また、表示装置１０において、複数の第３光源６２のそれぞれから出力された第２偏光成分の光は、レンチキュラレンズ１６により第１の観視者の左眼に対応する第３視点の方向に屈折される。そして、この第２偏光成分の光は、表示パネル１２の複数の第２表示領域２４を通過して、第１の観視者の左眼に与えられる。
【００４４】
また、表示装置１０において、複数の第２光源３４のそれぞれから出力された第１偏光成分の光は、レンチキュラレンズ１６により第２の観視者の右眼に対応する第２視点の方向に屈折される。そして、この第１偏光成分の光は、表示パネル１２の複数の第１表示領域２２を通過して、第２の観視者の右眼に与えられる。
【００４５】
また、表示装置１０において、複数の第４光源６４のそれぞれから出力された第２偏光成分の光は、レンチキュラレンズ１６により第２の観視者の左眼に対応する第４視点の方向に屈折される。そして、この第２偏光成分の光は、表示パネル１２の複数の第２表示領域２４を通過して、第２の観視者の左眼に与えられる。
【００４６】
ここで、第１タイミングにおいて、光源制御部７４は、複数の第１光源３２および複数の第３光源６２を点灯し、表示パネル１２は、第１表示領域２２に右眼用の第１画像を表示し、第２表示領域２４に左眼用の第１画像を表示する。これにより、表示装置１０は、第１タイミングにおいて、第１の観視者の右眼に対応する第１視点に対して複数の第１表示領域に表示した右眼用の第１画像を与え、第１の観視者の左眼に対応する第３視点に対して複数の第２表示領域に表示した左眼用の第１画像を与えることができる。
【００４７】
また、第２タイミングにおいて、光源制御部７４は、複数の第２光源３４および複数の第４光源６４を点灯し、表示パネル１２は、第１表示領域２２に右眼用の第２画像を表示し、第２表示領域２４に左眼用の第２画像を表示する。これにより、表示装置１０は、第２タイミングにおいて、第２の観視者の右眼に対応する第２視点に対して複数の第１表示領域に表示した右眼用の第２画像を与え、第２の観視者の左眼に対応する第４視点に対して複数の第２表示領域に表示した左眼用の第２画像を与えることができる。
【００４８】
なお、第１タイミングにおいて、光源制御部７４は、複数の第２光源３４および複数の第４光源６４を消灯する。従って、表示装置１０は、第１タイミングにおいて、第２の観視者に何ら画像を与えない。また、第２タイミングにおいて、光源制御部７４は、複数の第１光源３２および複数の第３光源６２を消灯する。これにより、表示装置１０は、第２タイミングにおいて、第１の観視者に何ら画像を与えない。
【００４９】
そして、表示装置１０は、第１タイミングと第２タイミングとを、観視者に認識できない程度に高速に（例えば１フレーム毎に）交互に切り替える。これにより、表示装置１０によれば、画像分離用の専用メガネを装着しない第１の観察者および第２の観察者に対して、それぞれの視点に対応する立体像を提供することができる。
【００５０】
なお、本変形例に係る表示装置１０は、３以上の観視者に対して、それぞれの観視者の視点に対応する立体像を与えてもよい。この場合、光源パネル１４は、３以上の観視者のそれぞれに対応して、表示パネル１２の裏面から第１偏光成分の光を照射する複数の右眼用光源および第２偏光成分の光を照射する複数の左眼用光源を更に有する。また、レンチキュラレンズ１６は、それぞれの観視者に対応した複数の右眼用光源の光を対応する観視者の右眼に与え、それぞれの観視者に対応した複数の左眼用光源の光を対応する観視者の左眼に与える。
【００５１】
そして、光源制御部７４は、３以上の観視者のそれぞれに順次にタイミングを割り当てて、それぞれのタイミングにおいて割り当てられた観視者に対応する右眼用光源および左眼用光源を点灯させ、割り当てられていない観視者に対応する光源を消灯させる。そして、表示パネル１２は、それぞれのタイミングにおいて、割り当てられた観視者の右眼に与える画像を第１表示領域に表示し、割り当てられた観視者の左眼に与える画像を第２表示領域に表示する。これにより、表示装置１０は、３以上の観視者に対しても、それぞれの観視者の視点に対応する立体像を与えることができる。
【００５２】
また、本変形例に係る表示装置１０は、図３に示しめされたような検出部５２と、変更部５４とを備えてもよい。この場合、検出部５２は、第１の観視者および第２の観視者の位置を検出する。そして、変更部５４は、検出された第１の観視者および第２の観視者の位置に応じて、複数の第１光源３２、複数の第２光源３４、複数の第３光源６２および複数の第４光源６４のそれぞれを表示パネル１２の水平方向に移動させて、表示パネル１２に対する第１視点、第２視点、第３視点および第４視点の向きを変更する。これにより、表示装置１０によれば、第１の観視者および第２の観視者のそれぞれが、自由な位置から立体像を観察することができる。
【００５３】
また、複数の第１光源３２、複数の第２光源３４、複数の第３光源６２および複数の第４光源６４のそれぞれは、表示パネル１２の裏面の全面に対応して密に配置されており、それぞれが独立に点灯および消灯が制御される構成であってもよい。この場合、変更部５４は、複数の第１光源３２および複数の第２光源３４のそれぞれの点灯および消灯を、検出された観視者の位置に応じて制御して、第１偏光成分の光を発光する領域および第２偏光成分の光を発光する領域を変更させる。
【００５４】
そして、光源パネル１４は、変更部５４の制御を受けて、複数の第１光源３２および複数の第２光源３４における隣接する第１光源３２および第２光源３４の間の境界位置を変更することにより、第１偏光成分の光および第２偏光成分の光の照射方向を変更する。このような変形例に係る表示装置１０も、観視者に自由な位置から立体像を観察させることができる。
【００５５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００５７】
１０  表示装置、１２  表示パネル、１４  光源パネル、１６  レンチキュラレンズ、２２  第１表示領域、２４  第２表示領域、３２  第１光源、３４  第２光源、４２  レンズ、５２  検出部、５４  変更部、６２  第３光源、６４  第４光源、７４  光源制御部
【図１】
0005463939.tif 000002
【図２】
0005463939.tif 000003
【図３】
0005463939.tif 000004
【図４】
0005463939.tif 000005
【図５】
0005463939.tif 000006